(57)【要約】【課題】地震などで転倒しないように、仮設足場を確実に支持する仮設足場用跳ね出し架台を提供する。【解決手段】跳ね出し架台１０は、複数の四角支柱１と複数の鋼製山留材２を備える。四角支柱１は、免震スラブＳｖの区画内に設置し、免震スラブＳｖと対向配置した第１の跳ね出しＷｈの底面に向って鉛直方向に延びた状態で配置している。鋼製山留材２は、一方のフランジ２０ｆを四角支柱１の上部に固定し、他方のフランジ２１ｆを最下層の第１の跳ね出しＷｈの底面に当接すると共に、外壁Ｗｅから第１の跳ね出しＷｈの底面に沿って外方に延出し、水平方向に配置している。鋼製山留材２は、第１の跳ね出しＷｈの端部を超えた跳ね出し部２１を有する。跳ね出し部２１には、仮設足場９を構成する建枠９１ａの基端部を着脱自在に固定している。【選択図】図１
2018071080.tif 000002
【特許請求の範囲】
【請求項１】
外壁から水平方向に突出し、高さ方向に連設した第１の跳ね出しを有する免震構造建物の前記第１の跳ね出しに沿って配置した仮設足場を支持する仮設足場用跳ね出し架台であって、
前記免震構造建物と一体に振動できる免震スラブの区画内に設置し、前記免震スラブと対向配置した前記第１の跳ね出しの底面に向って鉛直方向に延びた状態で配置した複数の四角支柱と、
一方のフランジをこれらの四角支柱の上部に着脱自在に固定し、他方のフランジを最下層の前記第１の跳ね出しの底面に当接すると共に、前記外壁から前記第１の跳ね出しの底面に沿って外方に延出し、水平方向に配置された複数の形鋼部材と、を備え、
これらの形鋼部材は、前記第１の跳ね出しの端部を超えた跳ね出し部を有し、
前記跳ね出し部は、前記仮設足場を構成する建枠の基端部を着脱自在に固定している、仮設足場用跳ね出し架台。
【請求項２】
前記第１の跳ね出しは、その底面に打設した複数の雌ねじ部材からなる接着系アンカー部材を有し、
前記形鋼部材は、他方のフランジを介して、前記接着系アンカー部材と締結自在なボルト部材を有している、請求項１記載の仮設足場用跳ね出し架台。
【請求項３】
外壁から水平方向に突出し、高さ方向に連設したベランダを構成する第２の跳ね出しを有する免震構造建物の前記第２の跳ね出しに沿って配置した仮設足場を支持する仮設足場用跳ね出し架台であって、
前記免震構造建物と一体に振動できる前記第２の跳ね出し内に設置し、前記第２の跳ね出しと対向配置した上側の前記第２の跳ね出しの底面に向って鉛直方向に延びた状態で配置した複数の四角支柱と、
前記四角支柱の上部に着脱自在に固定され、上側の前記第２の跳ね出しの底面に当接すると共に、前記外壁から前記上側の前記第２の跳ね出しの底面に沿って外方に延出し、水平方向に配置された複数の形鋼部材と、を備え、
これらの形鋼部材は、前記第２の跳ね出しの端部を超えた跳ね出し部を有し、
前記跳ね出し部は、前記仮設足場を構成する建枠の基端部が着脱自在に固定される、仮設足場用跳ね出し架台。
【請求項４】
前記形鋼部材は、エンドプレートを両端部に有する鋼製山留材からなり、
一方の前記エンドプレートを前記外壁にボルト止めしている、請求項１又は２記載の仮設足場用跳ね出し架台。
【請求項５】
外壁から水平方向に突出し、高さ方向に連設した第１の跳ね出しを有する免震構造建物の前記第１の跳ね出しに沿って配置した仮設足場を支持する仮設足場用跳ね出し架台の組立方法であって、
前記仮設足場用跳ね出し架台は、
前記免震構造建物と一体に振動できる免震スラブの区画内に設置し、最下層の前記第１の跳ね出しの底面に向って鉛直方向に延びた状態で配置した複数の四角支柱と、
一方のフランジをこれらの四角支柱の上部に着脱自在に固定し、他方のフランジを最下層の前記第１の跳ね出しの底面に当接すると共に、前記外壁から前記第１の跳ね出しの底面に沿って外方に延出し、水平方向に配置された複数の形鋼部材と、を備え、
これらの形鋼部材は、前記第１の跳ね出しの端部を超えた跳ね出し部を有し、
前記免震スラブの上に鉄板を敷き、この鉄板に複数の前記四角支柱を設置する第１工程と、
足場板を複数の前記四角支柱に水平方向に架設すると共に、この足場板を高さ方向に多段に構築する第２工程と、
複数の雌ねじ部材からなる接着系アンカー部材を最下層の前記第１の跳ね出しの底面に連続する前記外壁の底面に打設すると共に、前記四角支柱の上部にジャッキを取り付ける第３工程と、
前記形鋼部材を複数の前記ジャッキに搭載し、複数のクランプ部材を用いて、前記形鋼部材の一方のフランジと前記ジャッキを固定する第４工程と、
前記ジャッキを操作して前記形鋼部材の他方のフランジを最下層の前記第１の跳ね出しの底面に当接し、他方の前記フランジを介して、前記接着系アンカー部材にボルト部材を締結する第５工程と、
前記形鋼部材の跳ね出し部に足場板を設置する第６工程と、
複数の前記クランプ部材を用いて、前記仮設足場を構成する建枠の基端部を前記跳ね出し部に固定する第７工程と、を含んでいる、仮設足場用跳ね出し架台の組立方法。
【発明の詳細な説明】
【技術分野】
【０００１】
本発明は、仮設足場用跳ね出し架台に関する。特に、ビル又はマンションなどの免震構造建物の免震スラブ内に設置でき、免震構造建物の外壁から水平方向に突出したベランダなどの跳ね出しに沿って、高さ方向に設置した仮設足場が地震などで転倒しないように、仮設足場を支持する仮設足場用跳ね出し架台の構造に関する。
【背景技術】
【０００２】
一般に、仮設足場は、建物の外壁面に沿って建物の外部に仮設し、複数の鋼管及び足場部材を組み合わせて階層的に構成している。例えば、枠組足場は、対向させた建枠の両側垂直面を交差筋交いで結合して枠組を補強すると共に、建枠を上方へ必要な高さだけ順次継ぎ足すことによって構築している。
【０００３】
免震構造建物の外部に仮設足場を設置する場合、従来では、非免震構造の建物を構築する場合と同様に、地面に敷いたコンクリートパネルからなる敷板上に仮設足場を組み立てている。そして、組み立てた仮設足場を壁つなぎ金具によって、免震構造建物の外壁に連結している。
【０００４】
しかし、地震などが発生した場合には、免震構造建物の揺れ方向と地面の揺れ方向とは互いに反対方向となるため、免震構造建物の外部に設置した仮設足場は、壁つなぎ金具によって免震構造建物に固定した上部と地面に近い下端部とでは、揺れ方が異なってしまい、仮設足場が転倒する心配があった。
【０００５】
上記の不具合に対して、免震構造建物に連結した仮設足場が地震などの揺れで転倒することがないように仮設足場を支持する、免震構造建物用枠組足場の支持構造体が開示されている（例えば、特許文献１参照）。
【先行技術文献】
【特許文献】
【０００６】
【特許文献１】特開２００２−４５７１号公報
【発明の概要】
【発明が解決しようとする課題】
【０００７】
図１２は、従来技術による免震構造建物用枠組足場の支持構造体の構成を示す縦断面図である。なお、本願の図１２は、特許文献１の図１に相当している。
【０００８】
図１２を参照すると、従来技術による免震構造建物用枠組足場の支持構造体（以下、支持構造体と略称する）８は、免震構造建物Ｓｔの外壁Ｗｅに沿って配置され枠組足場９１を支持している。
【０００９】
図１２を参照すると、枠組足場９１は、複数の建枠９１ａと壁つなぎ金具９１１を備えている。複数の建枠９１ａを高さ方向に継ぎ足すことで、枠組足場９１を構築できる。壁つなぎ金具９１１は、その一端部を建枠９１ａのパイプ部材９１ｐに連結し、他端部を免震構造建物Ｓｔの外壁Ｗｅに締結している。そして、複数の壁つなぎ金具９１１は、枠組足場９１を免震構造建物Ｓｔの外壁Ｗｅに連結している。
【００１０】
図１２を参照すると、免震構造建物Ｓｔは、基礎部床Ｂｆの上に基礎Ｂｖを構築して、地下部を構成している。又、免震構造建物Ｓｔは、基礎Ｂｖの上に設置した免震装置Ｇｉを介して、地中梁Ｂｅを構築して地下部を構成している。そして、地中梁Ｂｅの上には、一階スラブＳｖ１を構築している。更に、一階スラブＳｖ１の上には、外壁Ｗｅを構築している。
【００１１】
図１２を参照すると、基礎部床Ｂｆの周縁部には、地下外壁Ｗｂを地上に向かって鉛直方向に構築している。地下外壁Ｗｂの上端縁からは、地面Ｇを覆うように、鉄板Ｆｐを敷設している。
【００１２】
図１２を参照すると、支持構造体８は、鋼板８１、Ｈ形鋼８２、及び、すべり支承材８３を備えている。鋼板８１は、枠組足場９１を搭載している。又、鋼板８１は、その一端部を一階スラブＳｖ１の端部にアンカーボルトなどで固定している。Ｈ形鋼８２は、鉄板Ｆｐに載置されている。Ｈ形鋼８２は、すべり支承材８３を介して、鋼板８１を支持している。
【００１３】
図１２を参照すると、すべり支承材８３は、鋼板８１の下面とＨ形鋼８２の上面の間に配置している。すべり支承材８３は、木製板８３ｂの上にステンレス板８３ａを積層している。すべり支承材８３は、Ｈ形鋼８２に対して鋼板８１を滑動自在に支持している。
【００１４】
図１２を参照すると、特許文献１による支持構造体８は、以上のように構成しているので、地震などによって免震構造建物Ｓｔに揺れが生じた場合、枠組足場９１が搭載された鋼板８１は、すべり支承材８３を介して、Ｈ形鋼８２に支持されているので、一階スラブＳｖ１の揺れと同様の揺れ方をすることになる。
【００１５】
図１２を参照すると、特許文献１による支持構造体８は、枠組足場９１が壁つなぎ金具９１１によって外壁Ｗｅと連結していても、枠組足場９１は、免震構造建物Ｓｔの上部と同様の揺れ方をすることになる。この結果、特許文献１による支持構造体８は、地震が生じても枠組足場９１に無理な力が加えられることがないので枠組足場９１の転倒を防止できる、としている。
【００１６】
しかし、ビル又はマンションなどの免震構造建物は、その外壁から水平方向にベランダなどの跳ね出しを突出していることがある。したがって、仮設足場は、跳ね出しに沿って、高さ方向に設置している。一般に、跳ね出しを越えた地盤の領域は、免震構造建物と揺れを共用する免震スラブの区画外（エクスパンション）になっている。つまり、跳ね出し用の仮設足場は、免震スラブの区画外に設置されることになる。そして、跳ね出し用の仮設足場と免震構造建物は、地震などによる揺れ方が異なるので、仮設足場が転倒する心配があった。
【００１７】
特許文献１による支持構造体８を免震スラブの区画外に設置すると、仮設足場を搭載した鋼板の水平方向の長さを長くしなければいけないという問題がある。又、特許文献１による支持構造体は、水平方向の揺れは吸収できても、鉛直方向の揺れを吸収することが困難であるという問題がある。又、特許文献１による支持構造体は、地盤の沈下により、仮設足場が転倒する心配がある。
【００１８】
免震構造建物の外壁から水平方向に突出した跳ね出しに沿って、高さ方向に設置した仮設足場が地震などで転倒しないように、仮設足場を確実に支持する仮設足場用跳ね出し架台が求められている。そして、以上のことが本発明の課題といってよい。
【００１９】
本発明は、このような課題に鑑みてなされたものであり、免震構造建物の外壁から水平方向に突出した跳ね出しに沿って、高さ方向に設置した仮設足場が地震などで転倒しないように、仮設足場を確実に支持する仮設足場用跳ね台を提供することを目的とする。
【課題を解決するための手段】
【００２０】
本発明者らは、免震スラブの区画内に設置し、跳ね出しの底面に向って鉛直方向に延びた状態で配置した複数の四角支柱と、これらの四角支柱の上部に固定し、最下層の跳ね出しの底面に当接すると共に、外壁から跳ね出しの外方に延出した複数の形鋼部材で仮設足場用跳ね出し架台を構成し、鋼製山留材は、跳ね出しの端部を超えた跳ね出し部を有し、跳ね出し部に仮設足場を設置することで、免震構造建物と仮設足場が揺れを共有できると考え、これに基づいて、以下のような新たな仮設足場用跳ね出し架台を発明するに至った。
【００２１】
（１）本発明による仮設足場用跳ね出し架台は、外壁から水平方向に突出し、高さ方向に連設した第１の跳ね出しを有する免震構造建物の前記第１の跳ね出しに沿って配置した仮設足場を支持する仮設足場用跳ね出し架台であって、前記免震構造建物と一体に振動できる免震スラブの区画内に設置し、前記免震スラブと対向配置した前記第１の跳ね出しの底面に向って鉛直方向に延びた状態で配置した複数の四角支柱と、一方のフランジをこれらの四角支柱の上部に着脱自在に固定し、他方のフランジを最下層の前記第１の跳ね出しの底面に当接すると共に、前記外壁から前記第１の跳ね出しの底面に沿って外方に延出し、水平方向に配置された複数の形鋼部材と、を備え、これらの形鋼部材は、前記第１の跳ね出しの端部を超えた跳ね出し部を有し、前記跳ね出し部は、前記仮設足場を構成する建枠の基端部を着脱自在に固定している。
【００２２】
（２）前記第１の跳ね出しは、その底面に打設した複数の雌ねじ部材からなる接着系アンカー部材を有し、前記形鋼部材は、他方のフランジを介して、前記接着系アンカー部材と締結自在なボルト部材を有していることが好ましい。
【００２３】
（３）本発明による仮設足場用跳ね出し架台は、外壁から水平方向に突出し、高さ方向に連設したベランダを構成する第２の跳ね出しを有する免震構造建物の前記第２の跳ね出しに沿って配置した仮設足場を支持する仮設足場用跳ね出し架台であって、前記免震構造建物と一体に振動できる前記第２の跳ね出し内に設置し、前記第２の跳ね出しと対向配置した上側の前記第２の跳ね出しの底面に向って鉛直方向に延びた状態で配置した複数の四角支柱と、前記四角支柱の上部に着脱自在に固定され、上側の前記第２の跳ね出しの底面に当接すると共に、前記外壁から前記上側の前記第２の跳ね出しの底面に沿って外方に延出し、水平方向に配置された複数の形鋼部材と、を備え、これらの形鋼部材は、前記第２の跳ね出しの端部を超えた跳ね出し部を有し、前記跳ね出し部は、前記仮設足場を構成する建枠の基端部が着脱自在に固定される。
【００２４】
（４）前記形鋼部材は、エンドプレートを両端部に有する鋼製山留材からなり、一方の前記エンドプレートを前記外壁にボルト止めしていることが好ましい。
【００２５】
（５）本発明による仮設足場用跳ね出し架台の組立方法は、外壁から水平方向に突出し、高さ方向に連設した第１の跳ね出しを有する免震構造建物の前記第１の跳ね出しに沿って配置した仮設足場を支持する仮設足場用跳ね出し架台の組立方法であって、前記仮設足場用跳ね出し架台は、前記免震構造建物と一体に振動できる免震スラブの区画内に設置し、最下層の前記第１の跳ね出しの底面に向って鉛直方向に延びた状態で配置した複数の四角支柱と、一方のフランジをこれらの四角支柱の上部に着脱自在に固定し、他方のフランジを最下層の前記第１の跳ね出しの底面に当接すると共に、前記外壁から前記第１の跳ね出しの底面に沿って外方に延出し、水平方向に配置された複数の形鋼部材と、を備え、これらの形鋼部材は、前記第１の跳ね出しの端部を超えた跳ね出し部を有し、前記免震スラブの上に鉄板を敷き、この鉄板に複数の前記四角支柱を設置する第１工程と、足場板を複数の前記四角支柱に水平方向に架設すると共に、この足場板を高さ方向に多段に構築する第２工程と、複数の雌ねじ部材からなる接着系アンカー部材を最下層の前記第１の跳ね出しの底面に連続する前記外壁の底面に打設すると共に、前記四角支柱の上部にジャッキを取り付ける第３工程と、前記形鋼部材を複数の前記ジャッキに搭載し、複数のクランプ部材を用いて、前記形鋼部材の一方のフランジと前記ジャッキを固定する第４工程と、前記ジャッキを操作して前記形鋼部材の他方のフランジを最下層の前記第１の跳ね出しの底面に当接し、他方の前記フランジを介して、前記接着系アンカー部材にボルト部材を締結する第５工程と、前記形鋼部材の跳ね出し部に足場板を設置する第６工程と、複数の前記クランプ部材を用いて、前記仮設足場を構成する建枠の基端部を前記跳ね出し部に固定する第７工程と、を含んでいる。
【発明の効果】
【００２６】
本発明による仮設足場用跳ね出し架台は、免震スラブの区画内に設置し、外壁の底面及び跳ね出しの底面に向って鉛直方向に延びた状態で配置した複数の四角支柱と、これらの四角支柱の上部に固定し、最下層の跳ね出しの底面に当接すると共に、外壁から跳ね出しの外方に延出した複数の形鋼部材で仮設足場用跳ね出し架台を構成し、鋼製山留材は、跳ね出しの端部を超えた跳ね出し部を有し、跳ね出し部に仮設足場を設置することで、免震構造建物と仮設足場が揺れを共有できる。本発明による仮設足場用跳ね出し架台は、免震構造建物の外壁から水平方向に突出した跳ね出しに沿って、高さ方向に設置した仮設足場が地震などで転倒しないように、仮設足場を確実に支持できる。
【図面の簡単な説明】
【００２７】
【図１】本発明の一実施形態による仮設足場用跳ね出し架台の構成を示す左側面図である。
【図２】前記実施形態による仮設足場用跳ね出し架台の組立手順を示す仮設足場用跳ね出し架台の図であり、図２（Ａ）は、仮設足場用跳ね出し架台の左側面図であり、免震スラブ上に複数の四角支柱を設置した状態図、図２（Ｂ）は、図２（Ａ）の要部拡大図である。
【図３】前記実施形態による仮設足場用跳ね出し架台の組立手順を示す仮設足場用跳ね出し架台の正面図であり、足場板を四角支柱に架設した状態図である。
【図４】前記実施形態による仮設足場用跳ね出し架台の組立手順を示す仮設足場用跳ね出し架台の正面図であり、四角支柱の上部にジャッキを取り付けた状態図である。
【図５】前記実施形態による仮設足場用跳ね出し架台の組立手順を示す仮設足場用跳ね出し架台の左側面図であり、鋼製山留材をジャッキに搭載した状態図である。
【図６】前記実施形態による仮設足場用跳ね出し架台の組立手順を示す仮設枠組足場用跳ね出し架台の左側面図であり、鋼製山留材を最下層の跳ね出しの底面に当接した状態図である。
【図７】前記実施形態による仮設足場用跳ね出し架台の組立手順を示す仮設足場用跳ね出し架台の左側面図であり、複数の跳ね出し部に足場板を設置した状態図である。
【図８】前記実施形態による仮設足場用跳ね出し架台の組立手順を示す枠組足場用跳ね出し架台の左側面図であり、仮設足場を構成する建枠の基端部を跳ね出し部に固定した状態図である。
【図９】前記実施形態による仮設足場用跳ね出し架台の組立手順を示す仮設足場用跳ね出し架台の正面図であり、一連の組立作業が終了した状態図である。
【図１０】本発明の別の実施形態による仮設足場用跳ね出し架台の構成を示す右側面図である。
【図１１】図１０の要部拡大図であり、仮設足場を構成する建枠の基端部を跳ね出し部に固定した状態図である。
【図１２】従来技術による免震構造建物用枠組足場の支持構造体の構成を示す縦断面図である。
【発明を実施するための形態】
【００２８】
以下、図面を参照して本発明を実施するための形態を説明する。
［仮設足場用跳ね出し架台の構成］
最初に、本発明の一実施形態による仮設足場用跳ね出し架台の構成を説明する。
【００２９】
図１は、本発明の一実施形態による仮設足場用跳ね出し架台の構成を示す左側面図である。図２は、前記実施形態による仮設足場用跳ね出し架台の組立手順を示す仮設足場用跳ね出し架台の図であり、図２（Ａ）は、仮設足場用跳ね出し架台の左側面図であり、免震スラブ上に複数の四角支柱を設置した状態図、図２（Ｂ）は、図２（Ａ）の要部拡大図である。
【００３０】
図３は、前記実施形態による仮設足場用跳ね出し架台の組立手順を示す仮設足場用跳ね出し架台の正面図であり、足場板を四角支柱に架設した状態図である。
【００３１】
図４は、前記実施形態による仮設足場用跳ね出し架台の組立手順を示す仮設足場用跳ね出し架台の正面図であり、四角支柱の上部にジャッキを取り付けた状態図である。
【００３２】
図５は、前記実施形態による仮設足場用跳ね出し架台の組立手順を示す仮設足場用跳ね出し架台の左側面図であり、鋼製山留材をジャッキに搭載した状態図である。
【００３３】
図６は、前記実施形態による仮設足場用跳ね出し架台の組立手順を示す仮設足場用跳ね出し架台の左側面図であり、鋼製山留材を最下層の跳ね出しの底面に当接した状態図である。
【００３４】
図７は、前記実施形態による仮設足場用跳ね出し架台の組立手順を示す仮設足場用跳ね出し架台の左側面図であり、複数の跳ね出し部に足場板を設置した状態図である。
【００３５】
図８は、前記実施形態による仮設足場用跳ね出し架台の組立手順を示す仮設足場用跳ね出し架台の左側面図であり、仮設足場を構成する建枠の基端部を跳ね出し部に固定した状態図である。
【００３６】
図９は、前記実施形態による仮設足場用跳ね出し架台の組立手順を示す仮設足場用跳ね出し架台の正面図であり、一連の組立作業が終了した状態図である。
【００３７】
なお、従来技術で使用した符号と同じ符号を付した構成品は、その作用を同じにするので、以下説明を省略することがある。
【００３８】
（全体構成）
次に、本発明の一実施形態による仮設足場用跳ね出し架台の全体構成を説明する。図１から図９を参照すると、本発明の一実施形態による仮設足場用跳ね出し架台（以下、跳ね出し架台という）１０は、複数の四角支柱１と複数の形鋼部材である鋼製山留材２を備えている。
【００３９】
図１又は図８及び図９を参照すると、跳ね出し架台１０は、免震構造建物Ｓｔの第１の跳ね出しＷｈに沿って配置した仮設足場９を支持できる。第１の跳ね出しＷｈは、免震構造建物Ｓｔの外壁Ｗｅから水平方向に突出し、免震構造建物Ｓｔの高さ方向に連設している。
【００４０】
図１から図３を参照すると、複数の四角支柱１は、免震構造建物Ｓｔと一体に振動できる免震スラブＳｖの区画内に設置している。実施の形態では、複数の四角支柱１は、免震スラブＳｖ上に敷設した鉄板Ｆｐに設置している。又、複数の四角支柱１は、免震スラブＳｖと対向配置した最下層の第１の跳ね出しＷｈの底面に向って鉛直方向に延びた状態で配置している。図１を参照すると、免震スラブＳｖは、空洞Ｅｘｐを介して、地面Ｇと離隔している。鉄板Ｆｐの一部は、地面Ｇが揺れると開くことができる。
【００４１】
図１又は図７及び図８を参照すると、鋼製山留材２は、その一方のフランジ２０ｆを一組の四角支柱１・１の上部に着脱自在に固定している。又、鋼製山留材２は、その他方のフランジ２１ｆを最下層の第１の跳ね出しＷｈの底面に当接している。そして、鋼製山留材２は、外壁Ｗｅから第１の跳ね出しＷｈの底面に沿って外方に延出し、水平方向に配置している。
【００４２】
図１又は図７及び図８を参照すると、鋼製山留材２は、第１の跳ね出しＷｈの端部を超えた跳ね出し部２１を有している。跳ね出し部２１には、仮設足場９を構成する建枠９１ａの基端部を着脱自在に固定している。
【００４３】
図１から図９を参照すると、実施形態による跳ね出し架台１０は、免震スラブＳｖの区画内に設置し、第１の跳ね出しＷｈの底面に向って鉛直方向に延びた状態で配置した複数の四角支柱１と、これらの四角支柱１の上部に固定し、最下層の第１の跳ね出しＷｈの底面に当接すると共に、外壁Ｗｅから第１の跳ね出しＷｈの外方に延出した複数の鋼製山留材２で跳ね出し架台１０を構成し、鋼製山留材２は、第１の跳ね出しＷｈの端部を超えた跳ね出し部２１を有し、跳ね出し部２１ｈに仮設足場９を設置することで、免震構造建物Ｓｔと仮設足場９が揺れを共有できる。
【００４４】
図１から図９を参照すると、実施形態による跳ね出し架台１０は、免震構造建物Ｓｔの外壁Ｗｅから水平方向に突出した第１の跳ね出しＷｈに沿って、高さ方向に設置した仮設足場９が地震などで転倒しないように、仮設足場９を確実に支持できる。
【００４５】
（仮設足場用跳ね出し架台の組立方法）
次に、実施形態による跳ね出し架台１０及び仮設足場９の組立手順を説明しながら、跳ね出し架台１０の構成を補足する。
【００４６】
最初に、図２を参照して、免震スラブＳｖの上に鉄板Ｆｐを敷き、鉄板Ｆｐに複数の四角支柱１を設置する（第１工程Ｓ１）。図２を参照して、第１工程Ｓ１では、複数の四角支柱１の中間部を水平つなぎパイプ１５で連結している。これにより、四角支柱１の転倒を防止できる。
【００４７】
図２を参照すると、四角支柱１は、四本の長尺の鋼管１１ｐが正四角形の四隅に位置するように、四本の鋼管１１ｐの外周を複数の鋼板１１ｂで接合することで、構成している。
【００４８】
図２を参照すると、四角支柱１は、一対のアングル部材１５ａ・１５ａを両端部に取り付けたベース板１１１を底部に有し、台板１１２を先端部に有している。台板１１２には、後述するジャッキ１ｊを取り付けることができる（図１又は図５参照）。四角支柱１は、重量物を支えるための仮設構造物である。四角支柱１は、市販品を使用できる。
【００４９】
次に、図３を参照して、足場板１２を複数の四角支柱１に水平方向に架設すると共に、足場板１２を高さ方向に多段に構築する（第２工程Ｓ２）。第２工程Ｓ２では、足場板１２を、四角支柱１に取り付けた水平つなぎパイプ１５と番線結束することが好ましい。又、第２工程Ｓ２では、手摺パイプ１３を複数の四角支柱１に水平方向に架設することが好ましい。更に、第２工程Ｓ２では、高さ方向に配列した手摺パイプ１３を交差筋交い１４で連結しておくことが好ましい。なお、図３を参照すると、既設の仮設足場９０を跳ね出し架台１０に隣接配置している。
【００５０】
次に、図４を参照して、複数の雌ねじ部材からなる接着系アンカー部材３１を最下層の第１の跳ね出しＷｈの底面に打設すると共に、四角支柱１の上部にジャッキ１ｊを取り付ける（第３工程Ｓ３）。接着系アンカー部材３１は、ケミカルアンカー（登録商標）とも呼ばれ、化学反応を利用した接着剤により、雌ねじ部材を第１の跳ね出しＷｈの底部に固定できる。
【００５１】
図４を参照して、第１の跳ね出しＷｈの底部に穴をあけ、接着剤を封入したカプセルをこの穴に挿入し、雌ねじ部材をこの穴に打ち込むことで、カプセルが破壊し、化学反応により雌ねじ部材からなる接着系アンカー部材３１を第１の跳ね出しＷｈの底部に固定できる。
【００５２】
図４を参照して、第３工程Ｓ３では、四角支柱１のベース板１１１の両端面を隅肉溶接により鉄板Ｆｐに固定しておくことが好ましい。
【００５３】
次に、図５を参照して、鋼製山留材２を複数のジャッキ１ｊに搭載し、複数のクランプ部材３２を用いて（図６参照）、鋼製山留材２の一方のフランジ２０ｆとジャッキ１ｊを固定する（第４工程Ｓ４）。図５を参照して、第４工程Ｓ４では、移動式クレーンＣを用いて、鋼製山留材２を吊上げることが好ましい。又、鋼製山留材２の一端部に介錯ロープＲを係留しておくことが好ましく、鋼製山留材２の動きを補助できると共に、鋼製山留材２の揺れを抑制できる。
【００５４】
図１又は図５を参照すると、鋼製山留材２は、その断面がＨ字状の形鋼であり、対向配置した一対のフランジ２０ｆ・２１ｆにボルト穴を長手方向に連設している。又、鋼製山留材２は、その両端面に矩形のエンドプレート２１ｅを溶接により接合している。鋼製山留材２は、地盤を掘削するときに、周辺の地盤が崩壊しないように防護する目的で使用できるが、実施形態では、第１の跳ね出しＷｈを支える支保工として使用している。
【００５５】
次に、図６を参照して、ジャッキ１ｊを操作して、鋼製山留材２の他方のフランジ２１ｆを最下層の第１の跳ね出しＷｈの底面に当接し、他方のフランジ２１ｆを介して、接着系アンカー部材３１にボルト部材（図示せず）を締結する（第５工程Ｓ５）。
【００５６】
次に、図７を参照して、鋼製山留材２の跳ね出し部２１に足場板２２を設置する（第６工程Ｓ６）。図７を参照して、第６工程Ｓ６では、跳ね出し部２１の端部に架設の手摺（スタンション）２１ｓを取り付けている。又、第６工程Ｓ６では、不要物の落下を防止するための水平ネット２１ｎを跳ね出し部２１の下方に設置している。更に、第６工程Ｓ６では、複数の跳ね出し部２１を水平方向に横架する一組のＨ形鋼２３・２３を跳ね出し部２１に設置し、Ｈ形鋼２３と跳ね出し部２１をクランプ部材３２で挟持している。
【００５７】
次に、図８を参照して、複数のクランプ部材３２を用いて、仮設足場９を構成する建枠９１ａの基端部を跳ね出し部２１に固定する（第７工程Ｓ７）。より具体的には、図８を参照して、第７工程Ｓ７では、Ｈ形鋼２３上にジャッキベース９１ｊを設置し（図１２参照）、ジャッキベース９１ｊとＨ形鋼２３をキャッチクランプ（図示せず）で固定する。
【００５８】
図８を参照して、第７工程Ｓ７では、跳ね出し架台１０の下部をアドフラットパネル（仮囲いパネル）Ａｐで囲っておくことが好ましい。これにより、部外者が跳ね出し架台１０の内部に入ることを抑制できる。
【００５９】
図８を参照して、第７工程Ｓ７では、ジャッキベース９１ｊ上に建枠９１ａを多段に構築することで、複数の第１の跳ね出しＷｈに沿って仮設足場９を配置できる。
【００６０】
次に、図９を参照して、一段目の仮設足場９を組み立て後に、複数の建枠９１ａに根がらみパイプ２４を取り付ける。又、一段目の仮設足場９と第１の跳ね出しＷｈを単管パイプで係留する。以下、仮設足場９を高さ方向に多段に組み立てることで、跳ね出し架台１０の組立及び仮設足場９の組立を終了する。
【００６１】
［仮設足場用跳ね出し架台の作用］
次に、実施形態による跳ね出し架台１０の作用及び効果を説明する。図１から図９を参照すると、実施形態による跳ね出し架台１０は、免震スラブＳｖの区画内に設置し、第１の跳ね出しＷｈの底面に向って鉛直方向に延びた状態で配置した複数の四角支柱１と、これらの四角支柱１の上部に固定し、最下層の第１の跳ね出しＷｈの底面に当接すると共に、外壁Ｗｅから第１の跳ね出しＷｈの外方に延出した複数の鋼製山留材２で跳ね出し架台１０を構成し、鋼製山留材２は、第１の跳ね出しＷｈの端部を超えた跳ね出し部２１を有し、跳ね出し部２１に仮設足場９を設置することで、免震構造建物Ｓｔと仮設足場９が水平方向の揺れと鉛直方向の揺れを共有できる。
【００６２】
図１から図９を参照すると、実施形態による跳ね出し架台１０は、免震構造建物Ｓｔの外壁Ｗｅから水平方向に突出した第１の跳ね出しＷｈに沿って、高さ方向に設置した仮設足場９が地震などで転倒しないように、仮設足場９を確実に支持できる。
【００６３】
（別の実施形態）
次に、本発明の別の実施形態による仮設足場用跳ね出し架台の構成及び作用を説明する。図１０は、本発明の別の実施形態による仮設足場用跳ね出し架台の構成を示す右側面図である。図１１は、図１０の要部拡大図であり、仮設足場を構成する建枠の基端部を跳ね出し部に固定した状態図である。
【００６４】
図１０を参照すると、本発明の別の実施形態による跳ね出し架台２０は、複数の四角支柱１と複数の形鋼部材である鋼製山留材２を備えている。跳ね出し架台２０は、マンションなどの免震構造建物Ｓｔのベランダを構成する第２の跳ね出しＳｖ２に沿って配置した仮設足場９を支持できる。第２の跳ね出しＳｖ２は、免震構造建物Ｓｔの外壁Ｗｅから水平方向に突出し、免震構造建物Ｓｔの高さ方向に連設している。
【００６５】
図１０を参照すると、免震構造建物Ｓｔは、基礎部床Ｂｆの上に複数の免震装置Ｇｉを設置している。免震構造建物Ｓｔは、複数の免震装置Ｇｉに支持されている。これにより、免震構造建物Ｓｔは、地震などによる地盤の揺れを緩和できる。つまり、免震構造建物Ｓｔは、地盤の揺れに対して免震されている。
【００６６】
図１０を参照すると、複数の四角支柱１は、免震構造建物Ｓｔと一体に振動できる最下段の第２の跳ね出しＳｖ２に設置している。実施の形態では、複数の四角支柱１は、第２の跳ね出しＳｖ２上に敷設した敷板Ｆｃに設置している。又、複数の四角支柱１は、最下段の第２の跳ね出しＳｖ２と対向配置した上段の第２の跳ね出しＳｖ２の底面に向って鉛直方向に延びた状態で配置している。
【００６７】
図１０を参照すると、四角支柱１は、ジャッキ１ｊを下部に連結している。ジャッキ１ｊを操作することで、四角支柱１を上段の第２の跳ね出しＳｖ２の底面に向って移動できる。複数の四角支柱１は、それらの中間部を水平つなぎパイプ１５で連結している。これにより、四角支柱１の転倒を防止できる。
【００６８】
図１０を参照すると、鋼製山留材２は、その一方のフランジ２０ｆを四角支柱１の上部に着脱自在に固定している。又、鋼製山留材２は、その他方のフランジ２１ｆを上段の第２の跳ね出しＳｖ２の底面に当接している。そして、鋼製山留材２は、外壁Ｗｅから第２の跳ね出しＳｖ２の底面に沿って外方に延出し、水平方向に配置されている。
【００６９】
図１０又は図１１を参照すると、鋼製山留材２は、第２の跳ね出しＳｖ２の端部を超えた跳ね出し部２１を有している。跳ね出し部２１には、仮設足場９を構成する建枠９１ａの基端部を着脱自在に固定している。
【００７０】
図１０を参照すると、雌ねじ部材からなる接着系アンカー部材３１を上段の第２の跳ね出しＳｖ２の底面に打設している。又、雌ねじ部材からなる接着系アンカー部材３１を外壁Ｗｅに打設している。打設した接着系アンカー部材３１は、次回以降の改修工事の際にも利用できる。
【００７１】
図１０を参照して、図示しないボルト部材を用いて、鋼製山留材２の他方のフランジ２１ｆを一方の接着系アンカー部材３１にボルト止めできる。又、図示しないボルト部材を用いて、鋼製山留材２の一方のエンドプレート２１ｅを他方の接着系アンカー部材３１にボルト止めできる。これにより、鋼製山留材２を第２の跳ね出しＳｖ２の底面及び外壁Ｗｅに固定できる。
【００７２】
図１０を参照して、ジャッキ１ｊを操作することで、四角支柱１を鋼製山留材２の一方のフランジ２０ｆに当接できる。そして、複数のクランプ部材３２を用いて、鋼製山留材２の一方のフランジ２０ｆと台板１１２を固定できる。
【００７３】
図１０又は図１１を参照すると、複数の跳ね出し部２１を水平方向に横架するＨ形鋼２３を跳ね出し部２１に設置している。Ｈ形鋼２３の一方のフランジと鋼製山留材２の他方のフランジ２１ｆをクランプ部材３２で挟持することで、Ｈ形鋼２３を跳ね出し部２１に固定できる。
【００７４】
図１０又は図１１を参照して、一対のＨ形鋼２３・２３に敷板９１２を架設し、敷板９１２にジャッキベース９１ｊを設置し、ジャッキベース９１ｊを敷板９１２に固定することで、ジャッキベース９１ｊ上に建枠９１ａを多段に構築できる。そして、複数の第２の跳ね出しＳｖ２に沿って仮設足場９を配置できる。なお、建枠９１ａと第２の跳ね出しＳｖ２は、壁つなぎ金具９１１で連結しておくことが好ましい。
【００７５】
図１０又は図１１を参照すると、別の実施形態による跳ね出し架台２０は、免震構造建物Ｓｔと一体に振動できる最下段の第２の跳ね出しＳｖ２に設置し、上段の第２の跳ね出しＳｖ２の底面に向って鉛直方向に延びた状態で配置した複数の四角支柱１と、これらの四角支柱１の上部に固定し、上段の第２の跳ね出しＳｖ２の底面に当接すると共に、外壁Ｗｅから上段の第２の跳ね出しＳｖ２の外方に延出した複数の鋼製山留材２で跳ね出し架台２０を構成し、鋼製山留材２は、第２の跳ね出しＳｖ２の端部を超えた跳ね出し部２１を有し、跳ね出し部２１に仮設足場９を設置することで、免震構造建物Ｓｔと仮設足場９が水平方向の揺れと鉛直方向の揺れを共有できる。
【００７６】
図１０又は図１１を参照すると、別の実施形態による跳ね出し架台２０は、免震構造建物Ｓｔの外壁Ｗｅから水平方向に突出した第２の跳ね出しＳｖ２に沿って、高さ方向に設置した仮設足場９が地震などで転倒しないように、仮設足場９を確実に支持できる。
【符号の説明】
【００７７】
１  四角支柱
２  鋼製山留材（形鋼部材）
９  仮設足場
１０  跳ね出し架台（仮設足場用跳ね出し架台）
２０ｆ  一方のフランジ
２１  跳ね出し部
２１ｆ  他方のフランジ
９１ａ  建枠
Ｓｔ  免震構造建物
Ｓｖ  免震スラブ
Ｗｅ  外壁
Ｗｈ  第１の跳ね出し
Ｓｖ２  第２の跳ね出し
【図１】
2018071080.tif 000003
【図２】
2018071080.tif 000004
【図３】
2018071080.tif 000005
【図４】
2018071080.tif 000006
【図５】
2018071080.tif 000007
【図６】
2018071080.tif 000008
【図７】
2018071080.tif 000009
【図８】
2018071080.tif 000010
【図９】
2018071080.tif 000011
【図１０】
2018071080.tif 000012
【図１１】
2018071080.tif 000013
【図１２】
2018071080.tif 000014